(57)【要約】      （修正有）【課題】平常では装飾部の内容が隠蔽されて視認されず、スイッチをオンとしたときにだけ装飾部の内容が可視されることで、強い印象やインパクトを与えることができる構造簡易なグリーティングカードを提供する。【解決手段】カード体が凹入部を有していて、凹入部の表面にはマジックミラーが張設され、凹入部の奥には、装飾部材７とバックライト８５を配し、カード体の他所には前記ライトを点灯ないし点滅するスイッチを含む電気回路を設け、常態において凹入部を暗所として装飾部材を隠蔽させ、スイッチ８６をオンにしてバックライトを点灯させたときに、凹入部内を可視状態にさせるようにした。【選択図】図３
0003112711.tif 000002
【実用新案登録請求の範囲】
【請求項１】
カード体が凹入部を有し、該凹入部の表面にマジックミラーを張設する一方、凹入部の奥には装飾部材とバックライトを配し、カード体の他所には前記バックライトを点灯ないし点滅するスイッチを含む電気回路を設けたことを特徴とするグリーティングカード。
【請求項２】
マジックミラーを施した凹入部が複数個配置され、それぞれに絵柄などが異なる装飾部材が配されている請求項１に記載のグリーティングカード。
【請求項３】
マジックミラーを張設していない凹入部を一つ以上有し、その凹入部に透明フィルムが張設されるとともに、可動扉片で閉止されるようになっている請求項１に記載のグリーティングカード。
【請求項４】
板厚を貫通する窓孔状開口を有しかつ該窓孔状開口を覆うようにマジックミラー片を貼り付けた絶縁材質の厚手の台紙部材と、前記窓孔状開口の輪郭に対応する開口を有し前記台紙部材の表面に貼りつけた表側化粧シートと、前記台紙部材の背面に貼りあわされた裏側シートを備えてなり、前記裏側化粧シートには、窓孔状開口に対応する位置に装飾部材を取り付けるとともに、他所には電気回路ユニット及び導線つきライトを配設し、台紙部材の窓孔状開口近傍には前記ライトを保持する凹部を、他所には前記電気回路ユニットを容入する凹部を設け、表側化粧シートと台紙部材間には前記電気回路ユニットに接続したスイッチを挟着していることを特徴とするグリーティングカード。
【請求項５】
板厚を貫通する窓孔状開口が複数個配置され、その窓孔状開口のひとつ以上がマジックミラーで覆われ、他の窓孔状開口が透明なフイルムで覆われており、表側化粧シートは透明なフイルムで覆われた窓孔状開口を閉止可能な可動扉片を一体形成している請求項４に記載のグリーティングカード。
【考案の詳細な説明】
【技術分野】
【０００１】
本考案はグリーティングカードに関する。
【背景技術】
【０００２】
クリスマスカード、年賀状、暑中見舞、誕生、入学、結婚などの慶賀カードなどで代表されるグリーティングカードは、受贈者の記憶に残るような強い印象を与えられることが好適であり、従来、種々の工夫を施したカードが案出されている。
そのうち、光を放つ形式のカードには、二つ折り台紙にクリスマスツリーなどの絵柄を施し、その絵柄の輪郭部に光ファイバーの先端を導き、スイッチオンにより光源からの光をファイバー先端から照射する形態のもの、偏平ボックス状のカードの内背面に絵柄を施し、その部分で微小ランプを点灯させるようにしたものなどがある。
【０００３】
しかし、いずれのタイプのカードも、光源を作動させる以前から装飾部分の内容が視認されているので、光が放射された瞬間は驚きを感じさせ、興味を抱かすことができるが、すぐに飽きが来てしまいやすい難点があった。
【考案の開示】
【考案が解決しようとする課題】
【０００４】
本考案は前記のような問題点を解消するためになされたもので、その目的とするところは、平常では装飾部の内容が隠蔽されて視認されず、スイッチをオンとしたときにだけ装飾部の内容が可視されることで、強い印象やインパクトを与えることができる構造簡易なグリーティングカードを提供することにある。
【課題を解決するための手段】
【０００５】
上記目的を達成するため本考案は、カード体が凹入部を有し、該凹入部の表面にマジックミラーを張設する一方、凹入部の奥には装飾部材とバックライトを配し、カード体の他所には前記バックライトを点灯ないし点滅するスイッチを含む電気回路を設けたことを特徴としている。
【考案の効果】
【０００６】
本考案のカードにおいては、凹入部表面に張られているミラー作用により凹入部内が暗い状態になっており、凹入部の奥に配されている装飾部材がいわば隠蔽されて外部から視認されないが、電気回路のスイッチをオンにすると、ライトが点灯あるいは点滅して一定時間ごとに凹入部内が明るくなり、ミラー作用が喪失するので、凹入部内の装飾部材を視認することができる。
このため、マジック的な不可思議な印象を与え、強いメッセージ効果を奏することができるというすぐれた効果が得られる。
【考案を実施するための最良の形態】
【０００７】
マジックミラーを施した凹入部が複数個配置され、それぞれに絵柄などが異なる装飾部材が配されている。
これによれば、複数の凹入部にそれぞれ違った装飾部材が配され、それらがライトの点滅時に短時間づつ可視されるので、さらに一層興趣を呼び、ひとつずつの凹入部を眺めて内容を確かめる楽しい遊びをすることができる。
【０００８】
マジックミラーを張設していない凹入部が一つ以上有し、その凹入部に透明フィルムが張設されるとともに、可動扉片で閉止されるようになっている。
これによれば、可動扉片を閉じておけば装飾部材が見えず、可動扉片を開くことにより装飾部材が可視され、マジックミラーを張設した凹入部のライトの点滅による断続的可視効果を一層強調することができる。
【０００９】
板厚を貫通する窓孔状開口を有しかつ該窓孔状開口を覆うようにマジックミラーを貼り付けた絶縁材質の厚手の台紙部材と、前記窓孔状開口の輪郭に対応する開口を有し前記台紙部材の表面に貼りつけた表側化粧シートと、前記台紙部材の背面に貼りあわされた裏側シートを備えてなり、前記裏側化粧シートには、窓孔状開口に対応する位置に装飾部材を取り付けるとともに、他所には電気回路ユニット及び導線つきライトを配設し、台紙部材の窓孔状開口近傍には前記ライトを保持する凹部を、他所には前記電気回路ユニットを容入する凹部を設け、表側化粧シートと台紙部材間には前記電気回路ユニットに接続したスイッチを挟着している。
【００１０】
これによれば、平常では装飾部の内容が隠蔽されて視認されず、スイッチをオンとしたときにだけ装飾部の内容が可視される効果を持つカードを簡単かつ安価に製作することができる。しかも、台紙部材が厚手であるので豪華さがあるとともに、凹入部の深さを大きく取れるので奥行きを創成でき、マジックミラーとライトの点滅とあいまって、不可思議なムードのある立体的な装飾を楽しむことができる。また、台紙部材が絶縁性を有しているので熱的、電気的に安全であり、電気回路ユニットに外力が加わらないので破損を回避できる。
【００１１】
板厚を貫通する窓孔状開口が複数個配置され、その窓孔状開口のひとつ以上がマジックミラーで覆われ、他の窓孔状開口が透明なフイルムで覆われており、表側化粧シートは透明なフイルムで覆われた窓孔状開口を閉止可能な可動扉片を一体形成している。
これによれば、装飾部材を常時透視できる部分と常態においては装飾部材を透視できない部分の２種類の装飾部分が混在するので、一層興味を抱かせることが可能となり、しかも装飾部材を常時透視可能な窓孔状開口を、表側化粧シートに形成した可動扉片で隠蔽することができるので、何も装飾部が見えない状態をも作りだすことができ、一層面白さを増すことができる。
【実施例１】
【００１２】
以下添付図面を参照して本考案の実施例を説明する。
図１ないし図９は本考案によるグリーティングカードの一実施例を示しており、１はカード体であり、絶縁材質たとえば厚紙や発泡スチロール板で作られた厚手の台紙部材２と、これの表面側に貼り付けた紙製の表側化粧シート３と、台紙部材１ａの背面に貼りつけられた紙製の裏側シート４とを備えている。
【００１３】
前記台紙部材２には、図５と図７及び図９のように、複数（この実施例では６個）の板厚を貫通する窓孔状開口２０ａ、２０ｂが所定の間隔をおいてくり抜かれており、裏側シート４が台紙部材２の背面全体に張り合わされることで複数の凹入部が構成されている。
前記窓孔状開口２０ａ，２０ｂの少なくともひとつ、この例では上段中央と下段の左右２つの各窓孔状開口２０ａの表側をフイルム状のマジックミラー５が、残りの窓孔状開口２０ｂの表側を透明プラスチックシート６が覆っている。
【００１４】
マジックミラー５は公知の材料であり、透明なプラスチックシートの片側面に半透明金属膜を蒸着などにより層化したものである。そして、台紙部材２には、これら各マジックミラー付き窓孔状開口(第１種開口と称す)２０ａの背部に相当する部位に、ライトを保持するための溝２２が欠設されている。
前記マジックミラー５と透明プラスチックシート６は単一のフィルムであってもよい。すなわち、透明プラスチックシート６を主体とし、第１種開口の部分にだけマジックミラーを貼るかあるいは金属蒸着を施して構成してもよい。
【００１５】
表側化粧シート３には、図１のように、祝意の表示部３００と、前記窓孔状開口２０ａ，２０ｂを含めて全体として所望の意味合いを表す装飾絵柄３０１が印刷的手法などで施されている。この実施例ではサンタクロースが訪れている建物が表され、窓孔状開口２０ａ，２０ｂは外窓として表されている。
そして、透明なプラスチックシート６で覆われている第２種開口に対応する部位の表側化粧シート３には、素材の紙に折り線を付すことにより、開閉動可能な扉片３０が形成されている。扉片３０はこの例では２つが観音開き、１つが片開きとなっている。
【００１６】
前記裏側シート４はメッセージや贈呈者を記載できる背面を有しているが、内面すなわち台紙部材２の背面に対向する面には、前記第１種、第２種の各窓孔状開口２０ａ、２０ｂに臨む部位ごとに装飾部材７が配され、固定されている。
各装飾部材は単純に所望の図柄などを印刷したものでもよいが、好適には立体的な態様、たとえば図５のように所望の図柄などを施した小片７０を背部の脚片７１によって貼り付けたものが挙げられる。この例では、小片７０は種々の姿や動作のサンタクロースを模っている。
【００１７】
さらに前記裏側シート４には、窓孔状開口２０ａ、２０ｂを避けた位置、この例では上部に発光・メロディー用回路ユニット８が取り付けられており、台紙部材２には図６、図７および図９のように、前記回路ユニット８を容入する開口または凹部２０ｃが形成されている。
回路ユニット８は、電源としての電池８０と、基板形式の制御用ＩＣ８１と、メロディーＩＣ８２、スピーカ８３などを有しており、制御用ＩＣ８１の出力側には先端にライト８５を有する複数の照明用導線８４が接続され、それら照明用導線８４は前記マジックミラー５が貼られている窓孔状開口２０ａの近傍に導かれる。なお、照明用導線８４のずれを防止するため、台紙部材２にスリットを形成しておいてもよい。
【００１８】
前記ライト８５とメロディーＩＣ８２を作動させるための電源としての電池８０をオンオフするスイッチ８６は、図３と図６のように、表側化粧シート３と台紙部材２の間に挟装固定されており、スイッチ８６からの導線は前記凹部２０ｃを通過して制御用ＩＣ８１に接続されている。
前記電池８０はボタン型、コイン型、シート型など任意であり、ライト８５は豆電球、ＬＥＤなど発光されるものであれば任意である。スイッチ８６は電源のオンオフが可能であれば限定されず、薄型の面状スイッチなどを用いることができる。制御用ＩＣ８１は一定時間の間、ライト８６を点滅させるとともにメロディーＩＣ８２を作動させる機能を有する周知のものを用いることができる。
【００１９】
実施例のカードの作用を説明すると、カードが贈られた状態では、図１のように第２種の窓孔状開口２０ｂが可動扉片３０によりそれぞれ閉じられており、したがって第２種の窓孔状開口内の装飾部材７は視認されない。また、第１種の窓孔状開口２０ａにはマジックミラー５が露出しており、反射作用により凹所内は暗部とされるので、窓孔状開口２０ａ内の装飾部材７は視認されない。したがって、受贈されたカードがどのような内容かわからず、興味を抱かせることができる。
【００２０】
この状態から、第２種の窓孔状開口２０ｂの可動扉片３０を開けば、図２のようになり、透明シート６を通してそれら開口内の凹入部に存する装飾部材７が視認される。各窓孔状開口(凹入部)２０ｂは複数であり、それぞれに異なる意匠が施された装飾部材７が配されているので、それらを眺めることにより面白さを感得できる。
さらに、この状態でスイッチ８６を操作すれば、電池８０がオンとなり、制御用ＩＣ８１が作動するので、メロディーＩＣ８２に録音されている所定の音楽やメッセージがスピーカ８３を通して流れ、それと同期して第１種の各窓孔状開口２０ａの背後においてライト８５が点滅する。
【００２１】
図４はこの状態を示しており、点滅周期の点灯期には凹入部内の輝度が増す。このためマジックミラー５のミラー作用が失われ、凹入部内に配されている装飾部材７が視認され、次の消灯期には暗部となるので視認できなくなる。
この例では、装飾部材７がサンタクロースが入浴中の状態を表したものと、ベッドで睡眠中の状態を表したもの、マイクの前で歌っている状態をあらわしたものなどであるため、点滅による定期的な可視・不可視によってマジック的な要素が加味され、点灯と消灯のサイクルが比較的短いような場合には、装飾部材７があたかも動いているかのような視覚的効果が奏され、大いに興趣を抱かせることができ、飽きが出難くなる。
【００２２】
本考案は図示する態様に限定されるものではない。
１)メロディーＩＣとスピーカを省略し、発光だけ行われる形態としてもよい。
２）第２種の窓孔状開口２０ｂの背後にもバックライトを配して照明を行うようにしてもよい。
３)カードの形状等は限定がなく、また、第１種と第２種の窓孔状開口２０ａ、２０ｂの形状、大きさ、数は限定がない。
４)凹入部内に配される装飾部材７は、固定的なもののほか、可動的たとえば揺動可能なものであってもよい。
【図面の簡単な説明】
【００２３】
【図１】本考案によるグリーティングカードの一例を示す正面図である。
【図２】図１のカードの扉片を開いた状態の正面図である。
【図３】図２の部分切欠正面図である。
【図４】スイッチをオンにした時の状態を示す部分的正面図である。
【図５】(ａ)は図２のＸ−Ｘ線に沿う断面図、(ｂ)はその一部拡大図である。
【図６】図１のＹ−Ｙ線に沿う断面図である。
【図７】裏側シートを取り外した状態での台紙部材の背面図である。
【図８】裏側シートの内面を示す正面図である。
【図９】ライトを装着した状態の台紙部材と裏側シートの取り合いを示す背面図である。
【符号の説明】
【００２４】
１  カード体
２  台紙部材
３  表側化粧シート
４  裏側シート
５  マジックミラー
６  透明フィルム  
７  装飾部材
８  回路ユニット
２０ａ、２０ｂ  窓孔状開口
３０  扉片
８５  バックライト
８６  スイッチ
【図１】
0003112711.tif 000003
【図２】
0003112711.tif 000004
【図３】
0003112711.tif 000005
【図４】
0003112711.tif 000006
【図５】
0003112711.tif 000007
【図６】
0003112711.tif 000008
【図７】
0003112711.tif 000009
【図８】
0003112711.tif 000010
【図９】
0003112711.tif 000011